(57)【要約】【課題】  １つの表示装置で、同時に、異なる方向に対して各々異なる画面を表示可能な表示装置を提供する。【解決手段】  表示装置においては、立体物を右方向から見た画面である右画面を画面データ表示部５１の領域５１１に、左方向から見た画面である左画面を領域５１３に、正面から見た画面である中央画面を領域５１２に表示する。さらに、スリット板５２に閉口部５２１と開口部５２２とが構成されることによって、位置Ａである正面から表示装置を見た閲覧者は開口部５２２を介して領域５１２に表示される中央画面を、位置Ｂである左方向から見た閲覧者は領域５１３に表示される左画面を、位置Ｃである右方向から見た閲覧者は領域５１１に表示される右画面を閲覧可能である。【選択図】        図２
2005086773.tif 000002
【特許請求の範囲】
【請求項１】
１つの立体物を異なる複数の方向から表現した画像を表わす複数の画面データを、前記立体物を表わす一組の画面データとして記憶する画面データ記憶手段と、
同一の表示画面に対する複数の視点にそれぞれ対応する複数の表示方向に互いに異なる画面データを同時に表示する表示手段とを備え、
前記表示手段は、前記立体物を表わす複数の画面データのうちの少なくとも２つの画面データを、各々、前記画面データに対応した表示方向で同時に表示する、表示装置。
【請求項２】
前記表示方向の各々に対応した複数の検知範囲において、観察者の存在を検知する検知手段と、
前記検知手段において前記複数の検知範囲のうちの１つの検知範囲にのみ前記観察者の存在が検知された場合に、前記表示手段で表示された複数の画面データのうち前記観察者の存在が検知された検知範囲に対応する表示方向に表示された画面データのみ、前記表示手段全体に表示させるよう前記表示手段における表示を切替える第１の表示切替手段とをさらに備える、請求項１に記載の表示装置。
【請求項３】
前記表示の切替えに応じて、前記表示手段における輝度の切替えを制御する第１の輝度制御手段をさらに備える、請求項２に記載の表示装置。
【請求項４】
前記立体物を表わす一組の画面データと、前記画面データを前記表示手段において表示する表示時間とを対応付けたタイムテーブルを記憶するタイムテーブル記憶手段と、
前記タイムテーブルにしたがって、前記表示手段に表示する画面データを切替える第２の表示切替手段とをさらに備える、請求項１〜３のいずれかに記載の表示装置。
【請求項５】
前記表示手段における表示を、前記画面データに対応した表示方向での表示と、立体表示とに切替える第３の表示切替手段をさらに備える、請求項１〜４のいずれかに記載の表示装置。
【請求項６】
前記表示手段は、第１の表示領域に、前記立体物を表わす画面データを前記画面データに対応した表示方向で同時に表示すると共に、前記第１の表示領域とは異なる第２の表示領域に、１つの画面データをいずれの方向からも視認可能に表示する、請求項１〜５のいずれかに記載の表示装置。
【請求項７】
前記表示手段は、前記第１の表示領域に表示する前記立体物を表わす画面データに対応した画面データを前記第２の表示領域に表示する、請求項６に記載の表示装置。
【請求項８】
前記第１の表示領域の輝度と前記第２の表示領域の輝度とを異ならせるように制御する第２の輝度制御手段をさらに備える、請求項６または７に記載の表示装置。
【請求項９】
前記複数の画面データを他の装置から取得する取得手段をさらに備える、請求項１〜８のいずれかに記載の表示装置。
【請求項１０】
異なる複数の表示方向に、互いに異なる画面データを同時に表示する表示手段を備え、
前記表示手段は、第１の表示領域に、第１の画面データと第２の画面データとを、各々、前記複数の表示方向のうちの少なくとも２つの異なる表示方向で同時に表示すると共に、前記第１の表示領域とは異なる第２の表示領域に、１つの画面データをいずれの方向からも視認可能に表示する、表示装置。
【請求項１１】
前記第１の表示領域の輝度と前記第２の表示領域の輝度とを異ならせるように制御する輝度制御手段をさらに備える、請求項１０に記載の表示装置。
【請求項１２】
表示装置と情報記憶装置とを含んで構成される表示システムであって、
前記情報記憶装置は、１つの立体物を異なる複数の方向から表現した画像を表わす複数の画面データを、前記立体物を表わす一組の画面データとして記憶する画面データ記憶手段を備え、
前記表示装置は、
前記情報記憶装置に記憶される前記画面データを取得する画面データ取得手段と、
前記立体物を表わす複数の画面データのうちの少なくとも２つの画面データを、各々、前記画面データに対応した表示方向で同時に表示する表示手段とを備える、表示システム。
【請求項１３】
前記情報記憶装置は、前記立体物を表わす画面データと、前記画面データを表示する表示時間とを対応付けたタイムテーブルを記憶するタイムテーブル記憶手段をさらに備え、
前記表示装置は、
前記情報記憶装置に記憶される前記タイムテーブルを取得するタイムテーブル取得手段と、
前記タイムテーブルにしたがって、前記表示手段に表示する画面データを切替える表示切替手段とをさらに備える、請求項１２に記載の表示システム。
【請求項１４】
表示装置における表示方法であって、
１つの立体物を表わす一組の画面データとして記憶装置に記憶される、前記１つの立体物を異なる複数の方向から表現した画像を表わす複数の画面データを取得する画面データ取得ステップと、
前記立体物を表わす複数の画面データのうちの少なくとも２つの画面データを、各々、前記画面データに対応した表示方向で、前記表示装置の表示領域に同時に表示する表示ステップとを備える、表示方法。
【請求項１５】
前記表示方向の各々に対応した複数の検知範囲において、観察者の存在を検知する検知ステップと、
前記検知ステップにおいて前記複数の検知範囲のうちの１つの検知範囲にのみ前記観察者の存在が検知された場合に、前記表示ステップで表示された複数の画面データのうち前記観察者の存在が検知された検知範囲に対応する表示方向に表示された画面データのみ、前記表示領域全体に表示させるよう前記表示ステップにおける表示を切替える第１の表示切替ステップとをさらに備える、請求項１４に記載の表示方法。
【請求項１６】
前記表示の切替えに応じて、前記表示領域の輝度の切替えを制御する第１の輝度制御ステップをさらに備える、請求項１５に記載の表示方法。
【請求項１７】
立体物を表わす一組の画面データと、前記画面データを表示する表示時間とを対応付けたタイムテーブルを記憶するタイムテーブル記憶装置から、前記タイムテーブルを取得するタイムテーブル取得ステップと、
前記タイムテーブルにしたがって、前記表示領域に表示する画面データを切替える第２の表示切替ステップとをさらに備える、請求項１４〜１６のいずれかに記載の表示方法。
【請求項１８】
前記表示領域における表示を、前記画面データに対応した表示方向での表示と、立体表示とに切替える第３の表示切替ステップをさらに備える、請求項１４〜１７のいずれかに記載の表示方法。
【請求項１９】
前記表示領域は、前記立体物を表わす画面データが表示される第１の表示領域と、前記第１の領域は異なる第２の表示領域とを含み、
前記表示ステップは、前記第１の表示領域に前記立体物を表わす画面データを表示し、同時に、前記第２の表示領域に、１つの画面データをいずれの方向からも視認可能に表示する、請求項１４〜１８のいずれかに記載の表示方法。
【請求項２０】
前記表示ステップは、前記第１の表示領域に表示する前記立体物を表わす画面データに対応した画面データを前記第２の表示領域に表示する、請求項１９に記載の表示方法。
【請求項２１】
前記第１の表示領域の輝度と前記第２の表示領域の輝度とを異ならせるように制御する第２の輝度制御ステップをさらに備える、請求項１９または２０に記載の表示方法。
【発明の詳細な説明】
【技術分野】
【０００１】
この発明は表示装置、表示システム、および表示方法に関し、特に、１つの表示装置で、同時に、異なる方向に対して各々異なる画面を表示可能な表示装置、表示システム、および表示方法に関する。
【背景技術】
【０００２】
ディスプレイなどの表示装置で立体物を表現する方法として、特許文献１は、多面体の少なくとも２面以上に画像表示手段を備えて、該画像表示手段で、複数の異なる画像を互いに同期して表示する表示システムを開示している。
【０００３】
この表示システムによると、たとえば多面体を正６面体で構成し、各面に備えられる画像表示手段に、該多面体の各面の外側から被写体を見たときに得られる画像を表示することで、閲覧者に対してあたかも表示システムの内部に実際に被写体が存在するかのごときイメージを与えることができる。
【０００４】
また、特許文献２は、隣接する画素列どおしが、画像分離手段を介することで異なる方向へ表示光を出射し、見る位置によって異なる表示を見ることが可能な表示素子を開示しており、この技術を応用して見る位置によって異なる表示を見せることでも、閲覧者に対してあたかも表示システムの内部に実際に被写体が存在するかのごときイメージを与えることができる。
【特許文献１】特開平８−２４１０６９号公報
【特許文献２】特開平１１−１３３４０３号公報
【発明の開示】
【発明が解決しようとする課題】
【０００５】
しかしながら、特許文献１に開示されている表示システムは、多面体の構造であることから装置が大掛かりになってしまうという問題があった。
【０００６】
ところで、特許文献２には、隣接する画素列どおしが、画像分離手段を介することで異なる方向へ表示光を出射し、見る位置によって異なる表示を見ることが可能な表示素子を開示しており、この技術を応用して見る位置によって異なる表示を見せることでも、閲覧者に対してあたかも表示システムの内部に実際に被写体が存在するかのごときイメージを与えることができる。しかしながら、特許文献２に開示されている表示素子をそのまま用いた場合には、予め該表示素子に対して異なる表示が見られる位置が素子ごとに定まっており、閲覧状態や表示方向の数の変化などに柔軟に対応することが難しいという問題があった。
【０００７】
本発明はこのような場合に有利な表示装置、表示システム、および表示方法を提供することを目的としてなされたものであって、１つの表示装置で、同時に、異なる方向に対して各々異なる画面を表示可能にして、立体物の把握を容易にせしめる表示装置、表示システム、および表示方法を提供することを目的とする。
【課題を解決するための手段】
【０００８】
上記目的を達成するために、本発明のある局面に従うと、表示装置は、１つの立体物を異なる複数の方向から表現した画像を表わす複数の画面データを、立体物を表わす一組の画面データとして記憶する画面データ記憶手段と、同一の表示画面に対する複数の視点にそれぞれ対応する複数の表示方向に互いに異なる画面データを同時に表示する表示手段とを備え、表示手段は、立体物を表わす複数の画面データのうちの少なくとも２つの画面データを、各々、画面データに対応した表示方向で同時に表示する。
【０００９】
また、表示装置は、表示方向の各々に対応した複数の検知範囲において、観察者の存在を検知する検知手段と、検知手段において複数の検知範囲のうちの１つの検知範囲にのみ観察者の存在が検知された場合に、表示手段で表示された複数の画面データのうち観察者の存在が検知された検知範囲に対応する表示方向に表示された画面データのみ、表示手段全体に表示させるよう表示手段における表示を切替える第１の表示切替手段とをさらに備えることが好ましい。
【００１０】
さらに、表示装置は、上記の表示の切替えに応じて、表示手段における輝度の切替えを制御する第１の輝度制御手段を備えることがより好ましい。
【００１１】
また、表示装置は、立体物を表わす一組の画面データと、画面データを表示手段において表示する表示時間とを対応付けたタイムテーブルを記憶するタイムテーブル記憶手段と、タイムテーブルにしたがって、表示手段に表示する画面データを切替える第２の表示切替手段とをさらに備えることが好ましい。
【００１２】
また、表示装置は、表示手段における表示を、画面データに対応した表示方向での表示と、立体表示とに切替える第３の表示切替手段をさらに備えることが好ましい。
【００１３】
また、表示手段は、第１の表示領域に、立体物を表わす画面データを画面データに対応した表示方向で同時に表示すると共に、第１の表示領域とは異なる第２の表示領域に、１つの画面データをいずれの方向からも視認可能に表示することが好ましい。
【００１４】
さらに、表示手段は、第１の表示領域に表示する立体物を表わす画面データに対応した画面データを第２の表示領域に表示することがより好ましい。
【００１５】
さらに、表示装置は、第１の表示領域の輝度と第２の表示領域の輝度とを異ならせるように制御する第２の輝度制御手段を備えることがより好ましい。
【００１６】
また、表示装置は、複数の画面データを他の装置から取得する取得手段をさらに備えることが好ましい。
【００１７】
本発明の他の局面に従うと、表示装置は、異なる複数の表示方向に、互いに異なる画面データを同時に表示する表示手段を備え、表示手段は、第１の表示領域に、第１の画面データと第２の画面データとを、各々、複数の表示方向のうちの少なくとも２つの異なる表示方向で同時に表示すると共に、第１の表示領域とは異なる第２の表示領域に、１つの画面データをいずれの方向からも視認可能に表示する。
【００１８】
さらに、表示装置は、第１の表示領域の輝度と第２の表示領域の輝度とを異ならせるように制御する輝度制御手段を備えることがより好ましい。
【００１９】
本発明のさらに他の局面に従うと、表示システムは表示装置と情報記憶装置とを含んで構成される表示システムであって、情報記憶装置は、１つの立体物を異なる複数の方向から表現した画像を表わす複数の画面データを、立体物を表わす一組の画面データとして記憶する画面データ記憶手段を備え、表示装置は、情報記憶装置に記憶される画面データを取得する画面データ取得手段と、立体物を表わす複数の画面データのうちの少なくとも２つの画面データを、各々、画面データに対応した表示方向で同時に表示する表示手段とを備える。
【００２０】
また、情報記憶装置は、立体物を表わす画面データと、画面データを表示する表示時間とを対応付けたタイムテーブルを記憶するタイムテーブル記憶手段をさらに備え、表示装置は、情報記憶装置に記憶されるタイムテーブルを取得するタイムテーブル取得手段と、タイムテーブルにしたがって、表示手段に表示する画面データを切替える表示切替手段とをさらに備えることが好ましい。
【００２１】
本発明のさらに他の局面に従うと、表示方法は表示装置における表示方法であって、１つの立体物を表わす一組の画面データとして記憶装置に記憶される、１つの立体物を異なる複数の方向から表現した画像を表わす複数の画面データを取得する画面データ取得ステップと、立体物を表わす複数の画面データのうちの少なくとも２つの画面データを、各々、画面データに対応した表示方向で、表示装置の表示領域に同時に表示する表示ステップとを備える。
【００２２】
また、表示方法は、表示方向の各々に対応した複数の検知範囲において、観察者の存在を検知する検知ステップと、検知ステップにおいて複数の検知範囲のうちの１つの検知範囲にのみ観察者の存在が検知された場合に、表示ステップで表示された複数の画面データのうち観察者の存在が検知された検知範囲に対応する表示方向に表示された画面データのみ、表示領域全体に表示させるよう表示ステップにおける表示を切替える第１の表示切替ステップとをさらに備えることが好ましい。
【００２３】
さらに、表示方法は、上記の表示の切替えに応じて、表示領域の輝度の切替えを制御する第１の輝度制御ステップをさらに備えることがより好ましい。
【００２４】
また、表示方法は、立体物を表わす一組の画面データと、画面データを表示する表示時間とを対応付けたタイムテーブルを記憶するタイムテーブル記憶装置から、タイムテーブルを取得するタイムテーブル取得ステップと、タイムテーブルにしたがって、表示領域に表示する画面データを切替える第２の表示切替ステップとをさらに備えることが好ましい。
【００２５】
また、表示方法は、表示領域における表示を、画面データに対応した表示方向での表示と、立体表示とに切替える第３の表示切替ステップをさらに備えることが好ましい。
【００２６】
また、上述の表示領域は、立体物を表わす画面データが表示される第１の表示領域と、第１の領域は異なる第２の表示領域とを含み、表示ステップは、第１の表示領域に立体物を表わす画面データを表示し、同時に、第２の表示領域に、１つの画面データをいずれの方向からも視認可能に表示することが好ましい。
【００２７】
さらに、表示ステップは、第１の表示領域に表示する立体物を表わす画面データに対応した画面データを第２の表示領域に表示することがより好ましい。
【００２８】
さらに、表示方法は、第１の表示領域の輝度と第２の表示領域の輝度とを異ならせるように制御する第２の輝度制御ステップを備えることがより好ましい。
【発明を実施するための最良の形態】
【００２９】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００３０】
［第１の実施の形態］
図１は、第１の実施の形態にかかる表示装置１００の構成の具体例を示すブロック図である。図１を参照して、第１の実施の形態にかかる表示装置１００はＣＰＵ（Central Processing Unit）１を含み、表示装置１００全体がＣＰＵ１において制御される。ＣＰＵ１で実行されるプログラムは、記憶部３を構成するＲＯＭ（Read Only Memory）に記憶される。また、記憶部３を構成するＲＡＭ（Random Access Memory）は、ＣＰＵ１がプログラムを実行する際の作業領域となる。
【００３１】
また、表示装置１００は、キーボードやスイッチなどの操作部２を含み、操作者の操作入力を受付ける。
【００３２】
また、表示装置１００は、画面表示を行なう表示部５０と、表示部５０における表示を制御する表示制御部４０と、画面データを記憶する画面データ記憶部２０と、表示する画面の時系列的な順であるタイムテーブルを記憶するタイムテーブル記憶部１０と、表示部５０に表示させるためのメモリである表示画面データメモリ３０と、時間管理を行なうタイマ制御部７０と、閲覧者の存在をセンシングする人センサ６０と、表示部５０に含まれるバックライト５３（図２参照）の輝度を制御するバックライト制御部８０とを含み、ＣＰＵ１、操作部２、および記憶部３と、バス４を介して接続される。
【００３３】
さらに図２に、表示部５０の構成の具体例を示す。図２を参照して、表示部５０は、画面データを表示する液晶ディスプレイであるデータ表示部５１と、データ表示部５１の前方、つまり閲覧者に近い側に備えられる液晶ディスプレイであるスリット板５２と、データ表示部５１の後方、つまり閲覧者に遠い側に備えられる照明装置であるバックライト５３とを含む。
【００３４】
データ表示部５１は、表示制御部４０に制御されることで、図２に示されるように、縦長の短冊状の領域である、右画面を表示する複数の領域５１１と、中央画面を表示する複数の領域５１２と、左画面を表示する複数の領域５１３とが、左から順に領域５１１，５１２，５１３の順番に繰返し並んで構成される。
【００３５】
また、スリット板５２は、表示制御部４０に制御されることで、背後のデータ表示部５１を前方から透かして見ることのできない閉口部５２１と、背後のデータ表示部５１を前方から透かして見ることのできる開口部５２２とを含んで構成される。閉口部５２１と開口部５２２とは、液晶ディスプレイであるスリット板５２を表示制御部４０が制御することで、閉口部５２１が暗転され、開口部５２２が可透となって構成される。また、バックライト制御部８０に制御されることで、スリット板５２全体に対する開口部５２２の割合である開口率が制御され、バックライト５３の輝度が制御される。
【００３６】
スリット板５２に閉口部５２１と開口部５２２とが構成され、データ表示部５１に右画面を表示する領域５１１と、中央画面を表示する領域５１２と、左画面を表示する領域５１３とが構成されることで、領域５１１に表示される右画面は、開口部５２２を介して図２に位置Ｃで示される位置に向かう方向に表示され、位置Ｃに位置する閲覧者から視認される。また、領域５１２に表示される中央画面は、開口部５２２を介して図２に位置Ａで示される位置に向かう方向に表示され、位置Ａに位置する閲覧者から視認される。また、領域５１３に表示される左画面は、開口部５２２を介して図２に位置Ｂで示される位置に向かう方向に表示され、位置Ｂに位置する閲覧者から視認される。つまり、位置Ａ〜Ｃに位置する各閲覧者は、同じ表示部５０を閲覧することで、中央画面、左画面、および右画面と、異なる３種類の画面を閲覧可能である。
【００３７】
次に、表示部５０のデータ表示部５１に表示される画面データ４００について説明する。データ表示部５１に表示される画面データ４００は、図１に示される画面データ記憶部２０に記憶される。
【００３８】
本実施の形態においては、画面データ４００は、図３および図４に示されるように、１つの立体物３００を、立体物３００の正面である位置Ａ付近から見た正面方向の画像を表わす画面のデータである中央画面データ４２０と、立体物３００の左側の位置Ｂ付近から見た左方向の画像を表わす画面のデータである左画面データ４１０と、立体物３００の右側の位置Ｃ付近から見た右方向の画像を表わす画面のデータである右画面データ４３０とを一組の画面データとして備え、中央画面データ４２０は横方向に等分に分割されて各々データ表示部５１上の複数の領域５１２の各々に、左画面データ４１０は横方向に等分に分割されて各々データ表示部５１上の複数の領域５１３の各々に、右画面データ４３０は横方向に等分に分割されて各々データ表示部５１上の複数の領域５１１の各々に表示される。
【００３９】
なお、上述の立体物３００を表わす各方向（位置Ａ〜位置Ｃ）と、必ずしも図２に示される該表示装置１００の表示部５０を閲覧する閲覧者の位置とは一致する必要はなく、立体物３００を表わす各方向は、ある位置から表示部５０を閲覧した閲覧者が予測できる立体物３００が表現される範囲の範疇にある方向、つまり大きな違和感なく立体物３００を表現できる方向であれば、ある幅をもってほぼ一致していればよい。
【００４０】
表示制御部４０は、画面データ記憶部２０に記憶される画面データ４００を表示部５０に表示する際に、表示画面データメモリ３０に読出す。すなわち、領域５１２に表示される中央画面データ４２０は表示画面データメモリ３０の中央画面用メモリに、領域５１３に表示される左画面データ４１０は表示画面データメモリ３０の左画面用メモリに、領域５１１に表示される右画面データ４３０は表示画面データメモリ３０の右画面用メモリに読出される。
【００４１】
次に、タイムテーブル記憶部１０に記憶されるタイムテーブルの具体例を図５に示す。図５を参照して、タイムテーブルは、表示する画面の時系列的な順を示し、具体的には、表示時間と、該表示時間に表示される画面データを示す画面データに固有のＩＤとが、時系列的に対応付けられている。タイマ制御部７０は、タイムテーブル記憶部１０に記憶されるタイムテーブルを参照して、該当する時間ごとに表示対象である画面データを示す指示信号を表示制御部４０に対して出力する。
【００４２】
表示制御部４０は、タイマ制御部７０から指示信号を受取ると、該当する画面データを画面データ記憶部２０から表示画面データメモリ３０に読出す処理を行なう。
【００４３】
次に、図１に示される人センサ６０について説明する。人センサ６０は、熱や超音波や赤外線などを用いた一般的なセンサで構成され、所定範囲内の人の存在を検知する。なお、その構成について本発明では限定されない。
【００４４】
図６は、人センサ６０のセンシング範囲の具体例を示す図である。図６に示されるように、人センサ６０は、表示部５０に対して略正面の範囲６１０と、その両側の範囲６２０と、領域６３０とにおける人の存在をセンシングする。人センサ６０が範囲６１０をセンシングすることで、表示部５０に対して図２に示される位置Ａに位置する閲覧者の存在が検知される。また、人センサ６０が範囲６２０をセンシングすることで、表示部５０に対して図２に示される位置Ｂに位置する閲覧者の存在が検知される。また、人センサ６０が範囲６３０をセンシングすることで、表示部５０に対して図２に示される位置Ｃに位置する閲覧者の存在が検知される。そして、人センサ６０は、検知信号をＣＰＵ１に対して出力する。
【００４５】
ＣＰＵ１は、人センサ６０から受取った検知信号に基づいて、表示制御部４０およびバックライト制御部８０に対して制御信号を出力する。具体的には、人センサ６０においてセンシング範囲６１０，６２０，６３０のうちのいずれか１範囲にのみ人が存在することが検知された場合、その範囲に対応する方向の画面（右画面、または左画面、または中央画面）の画面データをデータ表示部５１全体に表示させ、スリット板５２の全体に開口部５２２を構成させるよう、表示制御部４０に制御信号を出力する。
【００４６】
表示制御部４０において、このような表示部５０の制御が実行されることで、表示部５０は図７に示されるように構成される。図７は、具体的に、センシング範囲６３０にのみ人の存在が検知され、センシング範囲６１０，６２０に人が存在しないと検知された場合の表示部５０の構成を示す図である。この場合、データ表示部５１の全体には、右画面データを表示する領域５１１が構成され、データ表示部５１の全体に、センシング範囲６３０、つまり図２に示される位置Ｃに位置する閲覧者から視認される右画面の画面データ４３０が表示される。また、スリット板５２の全体に開口部５２２が構成される。このため、センシング範囲６３０、つまり図２に示される位置Ｃに位置する閲覧者は、該位置において、表示部５０の全画面に表示される右画面を視認できる。
【００４７】
上述のように、データ表示部５１が領域５１１〜５１３に分割されて、各々の領域に右画面データ、中央画面データ、および左画面データが表示されると、各画面はデータ表示部５１の約１／３の範囲で表示され、閲覧者は該画面をデータ表示部５１のサイズで閲覧することから、各画面は実質的に約１／３の画素で表示されることになる。そのため、閲覧者は、実際の画面データよりも粗い画素で該画面を閲覧することになる。そこで、本実施の形態にかかる表示装置１００は、他の方向から閲覧する閲覧者がいない場合には、データ表示部５１全体に該当する画面データを表示することで、高画質での画面の閲覧を閲覧者に可能としている。
【００４８】
なお、上述のように、データ表示部５１が領域５１１〜５１３に分割されて、各々の領域に右画面データ、中央画面データ、および左画面データが表示される場合、各画面は実質的に約１／３の画素で表示されることになるため、各画面の明るさも約１／３となる。そこで、バックライト制御部８０は、データ表示部５１が領域５１１〜５１３に分割されて、各々の領域に右画面データ、中央画面データ、および左画面データが表示される場合に、バックライト５３の輝度が、データ表示部５１全体に１つの画面データを表示する場合に比べて約３倍の輝度となるようスリット板５２の開口率を制御する。
【００４９】
次に、図８のフローチャートを用いて、第１の実施の形態にかかる表示装置１００における表示処理を説明する。図８のフローチャートに示される処理は、表示部１００のＣＰＵ１が記憶部３のＲＯＭに記憶されるプログラムを読出してＲＡＭ上で実行し、図１に示される各部を制御することで実現される。
【００５０】
図８を参照して、始めに、ステップＳ１０１で、表示制御部４０において、タイマ制御部７０からの指示信号に応じて、該当する画面データが画面データ記憶部２０から読出される。
【００５１】
ステップＳ１０１で読出された画面データに含まれる右画面データ、左画面データ、および中央画面データは、ステップＳ１０３で、各々、表示画面データメモリ３０の右画面用メモリ、左画面用メモリ、および中央画面用メモリ上に展開され、ステップＳ１０５で、各々横方向に等分に分割されて、データ表示部５１の領域５１１、領域５１３、および領域５１３に表示される。また、その際、上記３画面が図２に示される各方向から視認できるよう、表示制御部４０において、スリット板５２に閉口部５２１と開口部５２２とが構成される。同時に、タイマ制御部７０において、該画面の表示時間の計時が開始される。
【００５２】
表示部５０において上記３画面を表示されているときに、人センサ６０において閲覧者がセンシング範囲６１０，６２０，６３０のうちのいずれか１範囲にのみ存在することが検知された場合（Ｓ１０７でＹＥＳ）、ステップＳ１０９で、その閲覧者の方向に対応する画面（右画面、または左画面、または中央画面）の画面データが表示部５０のデータ表示部５１の全体に表示され、スリット板５２の全体に開口部５２２が構成される。
【００５３】
一方、人センサ６０において閲覧者がセンシング範囲６１０，６２０，６３０のうちの少なくとも２範囲に存在することが検知された場合には（Ｓ１０７でＮＯ）、上述のステップＳ１０９の処理はスキップされて、表示部５０において上記３画面の表示が継続される。
【００５４】
そして、タイマ制御部７０において、ステップＳ１０５で該画面の表示を開始してからタイムテーブルに示される所定時間が計時されると（Ｓ１１１でＹＥＳ）、ステップＳ１１３で、表示制御部４０において、タイマ制御部７０からの指示信号に応じて、タイムテーブルに示される次の画面データが画面データ記憶部２０から読出される。
【００５５】
ステップＳ１１３で次の画面データが画面データ記憶部２０から読出されると、処理がステップＳ１０３に戻され、上述の表示処理が繰返される。
【００５６】
以上が第１の実施の形態にかかる表示装置１００での表示処理である。
【００５７】
本実施の形態にかかる表示装置１００で上述の表示処理が実行されることで、１つの表示装置を用いて、同時に、各方向から、立体物の３方向からの別画面を閲覧することができる。このようにすることで、各閲覧者は表示装置を各方向から閲覧することで、あたかも実際の立体物を観察しているように該立体物を正確に見ることができ、該立体物を正確に把握することができる。
【００５８】
また、画面データをタイムテーブルにしたがって一定時間ごとに切替えて表示することで、より訴求力のある表示を行なうことができる。
【００５９】
また、１方向からの閲覧者しかいない場合には、該方向に対応した画面が全画面で表示されるので、該方向の閲覧者は、より高画質の画面で立体物を見ることができる。
【００６０】
［変形例１］
上述の実施の形態においては、図２を用いて説明されたように、表示部５０に、位置Ａに向かう方向に表示される中央画面と、位置Ｂに向かう方向に表示される左画面と、位置Ｃに向かう方向に表示される右画面との３画面が表示されるものとしたが、変形例として、図１１に示されるように、上記３画面と共に、全方向から視認される画面（共通画面と呼ぶものとする）が表示されてもよい。たとえば、上記３画面として立体物３００の画像を表わす画面が表示され、共通画面として、同時に、立体物３００を説明する説明文を表示する画面が表示されてもよい。
【００６１】
さらに、第１の変形例においては、上記３つの画面データと共に、該共通画面に表示される画面データ（たとえば説明文など）が一組の画面データとして画面データ記憶部２０に記憶され、表示される上記３つの画面データに応じて共通画面に表示される画面データも変化することが好ましい。
【００６２】
第１の変形例における表示部５０の構成、および表示部５０の制御について図１２を用いて説明する。すなわち、図１２を参照して、第１の変形例においては、表示制御部４０は、データ表示部５１に、右画面データ４３０を表示する領域５１１と、中央画面データ４２０を表示する領域５１２と、左画面データ４１０を表示する領域５１３とに加えて、共通画面を表示する領域５１４を構成するよう制御する。また、表示制御部４０は、スリット板５２のデータ表示部５１の領域５１１〜５１３に該当する領域に、閉口部５２１と開口部５２２とを図１２に示されるように交互に構成し、データ表示部５１の領域５１４に該当する領域全体に、開口部５２３を構成するよう制御する。さらに、バックライト制御部８０は、データ表示部５１の領域５１１〜５１３に該当する領域のバックライト８０の輝度と、データ表示部５１の領域５１４に該当する領域のバックライト８０の輝度とを異ならせるようにスリット板５２の開口率を制御する。なお、このときの表示装置１００の構成は、図１に示される構成と同様であって、表示画面データメモリ３０に、共通画面用のメモリが含まれる。
【００６３】
このように、表示部５０に、同時に表示される一組の複数の画面と共に共通画面を表示することで、前述の１方向に対応した画面を全画面で表示する場合と同様に、共通画面の解像度を３倍にすることができ、より細かい文字を表示することが可能になる。また、各方向に表示される画面において表わされるよりも、より高解像度で見やすく表示することが可能になる。そのため、説明文などの文字を表示するのに好適である。また、細部を高解像度で表示することが可能であるため、共通画面に表示される内容は、説明文の他、一組の複数の画面のうちの一部を表示するようにしてもよい。この場合の表示画面データメモリ３０の使用法も、説明文を表示させるときと同様である。
【００６４】
さらに、このような共通画面は、第１の実施の形態に示されるような、表示部５０に、各方向に、立体物３００を各方向から見た画像を表わす一組の複数の画面を同時に表示するときに、該一組の画面と共に表示される形態に限定されない。つまり、図１５に示されるように、表示部５０に、一組ではない任意の複数の画面を同時に各方向に表示するときであっても、同様に共通画面が表示されてもよい。この場合の表示部５０の構成、および表示部５０の制御については、上に図１２を用いて説明された構成および制御と同様である。また、このときの表示装置１００の構成は、図１に示される構成と同様であって、表示画面データメモリ３０には、右画面用メモリ、左画面用メモリ、および中央画面用メモリに替えて第１画面用メモリ、第２画面用メモリ、および第３画面用メモリが含まれ、さらに、共通画面用のメモリが含まれる。
【００６５】
このように、表示部５０に、同時に表示される複数の画面と共に共通画面を表示することでもまた、上述と同様に、共通画面の解像度を３倍にすることができ、より細かい文字を表示することが可能になる。また、各方向に表示される画面において表わされるよりも、より高解像度で見やすく表示することが可能になる。そのため、説明文などの文字を表示するのに好適である。
【００６６】
また、以降に説明するような、図１６に示されるように、表示部５０に、右目用画面と左目用画面とを同時に表示して立体（３Ｄ）表示を行なうときであっても、同様に、左右の目に共通の画面として立体表示されない共通画面が表示されてもよい。この場合の表示部５０の構成、および表示部５０の制御については、上に図１２を用いて説明された構成および制御と同様であり、３Ｄ表示の実現については、後に第２の変形例において説明する。また、このときの表示装置１００の構成は、後に図１０を用いて説明される、３Ｄ表示を実現するための表示装置１００の構成と同様であって、表示画面データメモリ３０には、さらに、共通画面用のメモリが含まれる。
【００６７】
このように、表示部５０に、右目用画面および左目用画面と共に共通画面を表示することで、上述と同様に、共通画面の解像度を３倍にすることができ、より細かい文字を表示することが可能になる。また、両眼視可能に表示されるため、人によっては視認しやすい。そのため、説明文などの文字を表示するのに好適である。
【００６８】
［変形例２］
第２の変形例においては、表示装置１００で、上記の３画面の表示と、閲覧者の右目で視認される画像と左目から視認される画像との視差を利用した立体（３Ｄ）表示とを切替えて行なってもよい。
【００６９】
図９は、表示装置１００において３Ｄ表示を行なう際の表示部５の制御を説明する図である。図９を参照して、３Ｄ表示を行なう際、表示制御部４０に制御されることによって、表示部５０のデータ表示部５１には、右目から視認される画像を表わす画面のデータである右目画面データを表示する領域５１５と、左目から視認される画像を表わす画面のデータである左目画面データを表示する領域５１６とが構成される。スリット板５２には閉口部５２１と開口部５２２とが構成され、開口部５２２を介して領域５１５に表示される右目画面データが閲覧者の右目に到達し、開口部５２２を介して領域５１６に表示される左目画面データが閲覧者の左目に到達する。
【００７０】
さらに、第２の変形例にかかる表示装置１００の構成の具体例を図１０に示す。図１０を参照して、第２の変形例においては、表示装置１００の表示画面データメモリ３０に、さらに右目画面用メモリと左目画面用メモリとが含まれ、３Ｄ表示が実行される際に、上記の右目画面データと左目画面データとが展開される。
【００７１】
第２の変形例にかかる表示装置１００では、表示制御部４０が表示部５０のデータ表示部５１とスリット板５２とを、図２および図９に示す構成とするように切替えて表示部５０を制御することで、上記３画面の表示と３Ｄ表示とが切替えて実現される。
【００７２】
［第２の実施の形態］
図１３は、第２の実施の形態にかかる表示システムの構成の具体例を示す図である。図１３を参照して、第２の実施の形態にかかる表示システムは、表示装置１００とサーバ２００とを含んで構成され、それぞれの構成の具体例が図１３に示される。
【００７３】
図１３に示される表示システムの構成は、先に図１に示された第１の実施の形態にかかる表示装置１００の構成の一部をサーバ２００が備える構成である。より詳しくは、サーバ２００は、第１の実施の形態にかかる表示装置１００に備えられたタイムテーブル記憶部１０と、画面データ記憶部２０とを、タイムテーブル記憶部２１０、および画面データ記憶部２２０として備える。
【００７４】
また、第２の実施の形態にかかる表示装置１００は、第１の実施の形態にかかる表示装置１００の構成要素に加えて、ＬＡＮ（Local Area Network）などの専用回線や、インターネットなどの通信網、または無線通信網などを介してサーバ２００からデータ受信可能な受信部９０と、受信部９０で受信して取得された情報を記憶する受信情報記憶部９１とを備える。
【００７５】
なお、第２の実施の形態にかかる表示装置１００の他の構成については、第１の実施の形態にかかる表示装置１００の構成と同様であるため、ここでの説明を繰返さない。
【００７６】
次に、図１４のフローチャートを用いて、第２の実施の形態にかかる表示装置１００における表示処理を説明する。図１４のフローチャートに示される処理もまた、表示部１００のＣＰＵ１が記憶部３のＲＯＭに記憶されるプログラムを読出してＲＡＭ上で実行し、図１３に示される各部を制御することで実現される。
【００７７】
図１４を参照して、始めに、ステップＳ２００で、表示装置１００の受信部９０において、サーバ２００から画面データとタイムテーブルとが取得される。ステップＳ２００でサーバ２００から取得された画面データとタイムテーブルとは、受信情報記憶部９１に格納される。
【００７８】
次に、ステップＳ２０１で、表示制御部４０において、受信情報記憶部９１に格納されるタイムテーブルを参照したタイマ制御部７０から指示信号に応じて、該当する画面データが受信情報記憶部９１から読出される。
【００７９】
以降、ステップＳ２０３〜Ｓ２１３において、第１の実施の形態におけるステップＳ１０３〜Ｓ１１３と同様の処理が実行される。
【００８０】
第２の表示装置１００において上述の表示処理が実行されることでも、第１の実施の形態と同様に、各閲覧者は表示装置を各方向から閲覧することで、あたかも実際の立体物を観察しているように該立体物を正確に見ることができ、該立体物を正確に把握することができる。
【００８１】
さらに、第２の実施の形態においては、サーバ２００に画面データおよびタイムテーブルを格納することで、表示装置１００で表示される画面を遠隔で制御することが可能になる。
【００８２】
なお、上述の第１の実施の形態および第２の実施の形態においては、画面データは右画面データ、左画面データ、および中央画面データの３方向の画面データを一組として構成され、各画面データが、表示部５０から右、左、および中央方向に対して表示されるものとしたが、画面データの構成は３方向の画面データに限定されず、２以上のＮ方向の画面データから構成されてもよい。すなわち、画像データは２以上の複数の画面データから構成されてよく、その場合、表示装置において、上記複数の画面データの中から所定の数の画面データを、該画像データに応じた方向に表示してもよい。そして、表示装置で表示される画像データの数も３に限定されるものでなく、２以上の数であればよい。
【００８３】
また、上述の第１の実施の形態および第２の実施の形態においては、表示装置１００の表示部５０に対して横方向に配置された各位置Ａ〜Ｃより各方向で表示部５０を閲覧する場合であって、データ表示部５１の各領域に立体物３００を横方向の３方向（または３以上のＮ方向）から見た画像を表わす画面の画面データを表示する場合を説明したが、上述の方向は横方向に限定されず、たとえば、上述の説明をまったく９０度言い換えて、該方向を縦方向としてもよいし、その他の方向としてもよい。
【００８４】
さらに、上述の表示装置において実行される表示方法や表示装置の制御方法を、プログラムとして提供することもできる。このようなプログラムは、コンピュータに付属するフレキシブルディスク、ＣＤ−ＲＯＭ（Compact Disc-Read Only Memory）、ＲＯＭ、ＲＡＭ、およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８５】
提供されるプログラム製品は、ハードディスクなどのプログラム格納部にインストールされて実行される。なお、プログラム製品は、プログラム自体と、プログラムが記録された記録媒体とを含む。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８７】
本発明にかかる表示装置、表示システム、および表示方法は、１つの表示装置で、同時に、異なる方向に対して各々異なる画面を表示可能な表示装置、表示システム、および表示方法において有利に利用され得るものである。
【図面の簡単な説明】
【００８８】
【図１】第１の実施の形態にかかる表示装置１００の構成の具体例を示すブロック図である。
【図２】表示部５０の構成の具体例を示す図である。
【図３】画面データ４００の構成を説明する図である。
【図４】画面データ４００の構成の具体例を示す図である。
【図５】タイムテーブルの具体例を示す図である。
【図６】人センサ６０のセンシング範囲の具体例を示す図である。
【図７】人センサ６０の検知結果に応じた表示部５０の制御を説明する図である。
【図８】第１の実施の形態にかかる表示装置１００における表示処理を示すフローチャートである。
【図９】第２の変形例にかかる表示部５０の制御を説明する図である。
【図１０】第２の変形例にかかる表示装置１００の構成の具体例を示すブロック図である。
【図１１】第１の変形例にかかる画面表示の具体例を示す図である。
【図１２】第１の変形例にかかる表示部５０の制御を説明する図である。
【図１３】第２の実施の形態にかかる表示システムの構成の具体例を示す図である。
【図１４】第２の実施の形態にかかる表示装置１００における表示処理を示すフローチャートである。
【図１５】第１の変形例にかかる画面表示の具体例を示す図である。
【図１６】第１の変形例にかかる画面表示の具体例を示す図である。
【符号の説明】
【００８９】
１  ＣＰＵ、２  操作部、３  記憶部、４  バス、１０  表示装置のタイムテーブル記憶部、２０  表示装置の画面データ記憶部、３０  表示画面データメモリ、４０  表示制御部、５０  表示部、５１  データ表示部、５２  スリット板、５３  バックライト、６０  人センサ、７０  タイマ制御部、８０  バックライト制御部、９０  受信部、９１  受信データ記憶部、１００  表示装置、２００  サーバ、２１０  サーバのタイムテーブル記憶部、２２０  サーバの画面データ記憶部、３００  立体物、４１０，左画面データ、４２０  中央画面データ、４３０  右画面データ、５１１〜５１６  データ表示部上の領域、５２１  閉口部、５２２，５２３  開口部、６１０，６２０，６３０  人センサのセンシング範囲。
【図１】
2005086773.tif 000003
【図２】
2005086773.tif 000004
【図３】
2005086773.tif 000005
【図４】
2005086773.tif 000006
【図５】
2005086773.tif 000007
【図６】
2005086773.tif 000008
【図７】
2005086773.tif 000009
【図８】
2005086773.tif 000010
【図９】
2005086773.tif 000011
【図１０】
2005086773.tif 000012
【図１１】
2005086773.tif 000013
【図１２】
2005086773.tif 000014
【図１３】
2005086773.tif 000015
【図１４】
2005086773.tif 000016
【図１５】
2005086773.tif 000017
【図１６】
2005086773.tif 000018